(57)【要約】【課題】  回路基板の大きさによって表示パネルの大きさが制約を受けず、回路基板を大きくしなくても表示パネルを大きくできる。【解決手段】  腕時計ケース１内に収納された液晶表示パネル７と、この液晶表示パネル７の下側に配置された回路基板１７との間に、中間部材８を配置し、この中間部材８の上面側から下面側にフィルム基板２２を折り返し、その一端部を液晶表示パネル７のパネル側接続端子部１５に中間部材８の第１弾性部材２０によって弾圧し、他端部を回路基板１７の基板側接続端子部１９に中間部材８の第２弾性部材２１によって弾圧した。従って、液晶表示パネル７のパネル側接続端子部１５よりも回路基板１７の基板側接続端子部１９が液晶表示パネル７の中心寄りに設けられていても、フィルム基板２２によって液晶表示パネル７と回路基板１７とを確実に接続することができるので、回路基板１７によって液晶表示パネル７が制約を受けず、液晶表示パネル７を大きく形成することができる。【選択図】        図１
2005091192.tif 000002
【特許請求の範囲】
【請求項１】
部品収納部が形成されたケースと、
このケースの前記部品収納部に収納され、両端下面にパネル側接続端子部が形成された表示パネルと、
前記部品収納部に収納された前記表示パネルの下側に配置され、上面に前記パネル側接続端子部よりも前記表示パネルの中心寄りに基板側接続端子部が形成された回路基板と、
前記表示パネルと前記回路基板との間に配置され、前記表示パネルの前記パネル側接続端子部に対応する第１弾性部材および前記回路基板の前記基板側接続端子部に対応する第２弾性部材が設けられた中間部材と、
この中間部材の上面側から下面側に折り返され、その一端部が前記表示パネルの前記パネル側接続端子部に前記第１弾性部材によって弾圧され、他端部が前記回路基板の前記基板側接続端子部に前記第２弾性部材によって弾圧されたフィルム基板と
を備えたことを特徴とする電子機器。
【請求項２】
前記中間部材は、その上面に傾斜面を形成し、この傾斜面上に前記表示パネルを傾斜させて配置することを特徴とする請求項１に記載の電子機器。
【請求項３】
前記中間部材は、前記ケースに一体に形成されていることを特徴とする請求項１または２に記載の電子機器。
【請求項４】
前記中間部材には、前記フィルム基板を位置決めする位置規制部が設けられていることを特徴とする請求項１〜３のいずれかに記載の電子機器。
【発明の詳細な説明】
【技術分野】
【０００１】
この発明は、電子腕時計や携帯電話機、携帯端末機などの電子機器に関する。
【背景技術】
【０００２】
従来、電子腕時計においては、上面に時計ガラスが装着された腕時計ケースの内部に表示パネルを収納し、腕時計ケースの下部に回路基板を取り付けると共に、この回路基板の下面側を覆って裏蓋を取り付けた構造のものがある。この場合、表示パネルの両端部における下面にはパネル側接続端子部が設けられており、回路基板の上面には基板側接続端子部が表示パネルのパネル側接続端子部に対向して設けられている。そして、表示パネルは、その両端部のパネル側接続端子部と回路基板の基板側接続端子部との間に配置されたインターコネクタによって回路基板と電気的に接続された状態で回路基板上に支持されている。
【０００３】
このような電子腕時計では、表示パネルの両端部に設けられたパネル側接続端子部と回路基板に設けられた基板側接続端子部とを互いに対向させた状態で、インターコネクタによって表示パネルと回路基板とを電気的に接続しているので、表示パネルの表示面積を大きくするためには、回路基板の基板側接続端子部を回路基板の中心部から外側に設ける必要があり、これに伴って回路基板を大きくしなければならないという問題がある。なお、このような問題は、回路基板が大きくなるのに伴って腕時計ケースを大きくしなければならず、機器全体が大型化するという問題を引き起こす。
【特許文献１】実開昭６０−８０３８３号公報
【発明の開示】
【発明が解決しようとする課題】
【０００４】
この発明が解決しようとする問題点は、回路基板の大きさによって表示パネルの大きさが制約を受けるため、回路基板を大きさくしなければ、表示パネルを大きくすることができない点にある。
【課題を解決するための手段】
【０００５】
この発明は、上記課題を解決するために、次のような構成要素を備えている。
なお、各構成要素には、後述する各実施形態の項で説明される各要素に付されている図面の参照番号などを括弧と共に付す。
請求項１に記載の発明は、図１および図２に示すように、部品収納部（１ａ）が形成されたケース（腕時計ケース１）と、このケースの前記部品収納部に収納され、両端下面にパネル側接続端子部（１５）が形成された表示パネル（液晶表示パネル７）と、前記部品収納部に収納された前記表示パネルの下側に配置され、上面に前記パネル側接続端子部よりも前記表示パネルの中心寄りに基板側接続端子部（１９）が形成された回路基板（１７）と、前記表示パネルと前記回路基板との間に配置され、前記表示パネルの前記パネル側接続端子部に対応する第１弾性部材（２０）および前記回路基板の前記基板側接続端子部に対応する第２弾性部材（２１）が設けられた中間部材（８）と、この中間部材の上面側から下面側に折り返され、その一端部が前記表示パネルの前記パネル側接続端子部に前記第１弾性部材によって弾圧され、他端部が前記回路基板の前記基板側接続端子部に前記第２弾性部材によって弾圧されたフィルム基板（２２）とを備えたことを特徴とする電子機器である。
【０００６】
請求項２に記載の発明は、図３に示すように、前記中間部材（８）が、その上面に傾斜面（３０）を形成し、この傾斜面上に前記表示パネル（液晶表示パネル７）を傾斜させて配置することを特徴とする請求項１に記載の電子機器である。
【０００７】
請求項３に記載の発明は、図１〜図３に示すように、前記中間部材（８）が、前記ケース（腕時計ケース１）に一体に形成されていることを特徴とする請求項１または２に記載の電子機器である。
【０００８】
請求項４に記載の発明は、図１〜図３に示すように、前記中間部材（８）に、前記フィルム基板（２２）を位置決めする位置規制部（位置規制突起２４）が設けられていることを特徴とする請求項１〜３のいずれかに記載の電子機器である。
【発明の効果】
【０００９】
請求項１に記載の発明によれば、ケースの部品収納部に収納された表示パネルと、この表示パネルの下側に配置された回路基板との間に、中間部材を配置し、この中間部材の上面側から下面側にフィルム基板を折り返し、このフィルム基板の一端部を表示パネルのパネル側接続端子部に中間部材の第１弾性部材によって弾圧し、フィルム基板の他端部を回路基板の基板側接続端子部に中間部材の第２弾性部材によって弾圧したので、表示パネルのパネル側接続端子部と回路基板の基板側接続端子部とを上下に対向させる必要がなく、しかも表示パネルのパネル側接続端子部よりも回路基板の基板側接続端子部を表示パネルの中心寄りに設けても、フィルム基板によって表示パネルと回路基板とを確実に電気的に接続することができる。このため、回路基板の基板側接続端子部を回路基板の中心部から外側に設ける必要がなく、しかも回路基板を大きくしなくても、表示パネルと回路基板とを確実に接続することができるので、回路基板の大きさによって表示パネルの大きさが制約を受けることがなく、回路基板を大きくしなくても、表示パネルを大きくすることができる。
【００１０】
請求項２に記載の発明によれば、中間部材の上面に傾斜面が形成され、この傾斜面上に表示パネルが傾斜して配置されることにより、表示パネルを回路基板に対し所定角度に傾けて配置することができると共に、表示パネルを回路基板に対し傾けても、フィルム基板によって表示パネルと回路基板とを確実に接続することができる。特に、表示パネルの上面側に透明な保護ガラス（時計ガラス２）が傾斜した状態で配置されている場合には、その保護ガラスの傾きに合わせて表示パネルを傾けることにより、保護ガラスに対して表示パネルを平行に配置させることができ、これにより表示パネルに表示された情報を保護ガラスを通して外部から良好に見ることができる。
【００１１】
請求項３に記載の発明によれば、中間部材をケースに一体に形成したので、部品点数を削減することができると共に、機器全体の低コスト化をも図ることができるほか、特にケースの部品収納部内の所定位置に表示パネルと回路基板とを位置規制して載置することができ、これによりケースの部品収納部内に表示パネルと回路基板とを容易に且つ精度良く組み込むことができる。
【００１２】
請求項４に記載の発明によれば、中間部材にフィルム基板を位置決めする位置規制部を設けたので、中間部材の上面側から下面側にフィルム基板を折り返すときに、位置規制部によってフィルム基板を所定位置に位置決めすることができ、このためフィルム基板の一端部を表示パネルのパネル側接続端子部に正確に対応させることができると共に、フィルム基板の他端部を回路基板の基板側接続端子部に正確に対応させることができ、これにより接続作業および組み立て作業を容易に且つ精度良く行うことができる。
【発明を実施するための最良の形態】
【００１３】
（実施形態１）
以下、図１および図２を参照して、この発明を電子腕時計に適用した実施形態１について説明する。
図１はこの発明を適用した電子腕時計の要部を拡大した断面図、図２はそのＡ−Ａ矢視における要部を示した平面図である。
この電子腕時計は、図１に示すように、腕時計ケース１を備えている。この腕時計ケース１は、金属製であっても良く、また合成樹脂製であっても良い。この腕時計ケース１の上部には、時計ガラス２がパッキン３を介して取り付けられており、腕時計ケース１の内部には部品収納部１ａが設けられ、この部品収納部１ａ内には時計モジュール４が収納されている。また、この腕時計ケース１の下部には、裏蓋５が防水リング６を介して取り付けられている。
【００１４】
時計モジュール４は、時計ガラス２の下側に配置される液晶表示パネル７と、この液晶表示パネル７の下側に中間部材８を介して配置されるハウジング９とを備えている。液晶表示パネル７は、上下一対の透明な電極基板１０、１１間に液晶（図示せず）を封入し、上側の電極基板１０の上面および下側の電極基板１１の下面にそれぞれ偏光板１２、１３を設け、さらに下側の偏光板の下面に反射板１４を設けた構造で、一対の電極基板間に選択的に電圧を印加することにより、時刻などの情報を電気光学的に表示するように構成されている。
【００１５】
この場合、液晶表示パネル７の両端部（図１および図２では片側のみを示す）における下面には、図２に示すように、それぞれ多数の電極端子からなるパネル側接続端子部１５が設けられている。また、この液晶表示パネル７は、図１に示すように、その下面両側が中間部材８上に配置されると共に、その両端部の上面が時計ガラス２の下面における周縁部に設けられたパネル押え１６に下側から当接した状態で、時計ガラス２の下側に配置されるように構成されている。
【００１６】
ハウジング９は、図１に示すように、その上面に回路基板１７が配置されているほか、その内部に時計機能に必要な各種の電子部品（図示せず）が設けられた構成になっている。回路基板１７は、その上面にＬＳＩ１８が設けられていると共に、多数の接続配線の電極端子からなる基板側接続端子部１９が液晶表示パネル７のパネル側接続端子部１５よりも液晶表示パネル７の中心寄り（図１では左側寄り）に設けられている。中間部材８は、腕時計ケース１の内周面から腕時計ケース１の内部に向けて突出して液晶表示パネル７と回路基板１７との間に位置した状態で、腕時計ケース１に一体に形成されている。この中間部材８の上面には、第１弾性部材２０が液晶表示パネル７のパネル側接続端子部１５に対応して設けられており、中間部材８の下面には、第２弾性部材２１が回路基板１７の基板側接続端子部１９に対応して設けられている。
【００１７】
この場合、第１弾性部材２０はゴムなどの弾性材料からなり、液晶表示パネル７が中間部材８に接触しないように支持するために、中間部材８の上面からほぼ垂直上方に向けて高く突出した状態で中間部材８の上面に設けられている。第２弾性部材２１は、第１弾性部材２０と同様、ゴムなどの弾性材料からなり、中間部材８の下面に回路基板１７が接触しないように、中間部材８の下面から少し突出した状態で中間部材８の下面に設けられている。また、この中間部材８の基端部、つまり、腕時計ケース１の内周面側に位置する中間部材８の端部には、液晶表示パネル７と回路基板１７とを電気的に接続するためのフィルム基板２２が挿通するスリット状の貫通孔２３が設けられている。
【００１８】
フィルム基板２２は、絶縁性フィルムの一面に多数の配線を一端部から他端部に亘って形成し、これら配線の両端部分を除いて絶縁性被膜で覆った構造になっている。このフィルム基板２２は、図１に示すように、中間部材８の上面側からスリット状の貫通孔２３を通して中間部材８の下面側にほぼＵ字形状に折り返されて配置され、この状態で中間部材８の上面側に位置するフィルム基板２２の一端部が液晶表示パネル７のパネル側接続端子部１５に第１弾性部材２０によって弾圧され、中間部材８の下面側に位置するフィルム基板２２の他端部が回路基板１７の基板側接続端子部１９に第２弾性部材２１によって弾圧されるように構成されている。この場合、フィルム基板２２は、その一端部の配線端部が液晶表示パネル７のパネル側接続端子部に１０に弾接して電気的に接続され、フィルム基板２２の他端部の配線端部が回路基板１７の基板側接続端子部１９に弾接して電気的に接続され、これにより液晶表示パネル７と回路基板１７とを電気的に接続するように構成されている。
【００１９】
また、中間部材８の下面における所定個所には、図１および図２に示すように、位置規制突起２４が設けられている。この位置規制突起２４は、図２に示すように、中間部材８の下面側に配置されるフィルム基板２２の他端部側を位置決めするためのもであり、そのフィルム基板２２の他端部側における両側にそれぞれ設けられた切欠き部２６に挿入することにより、フィルム基板２２の他端部側を位置決めするように構成されている。また、腕時計ケース１の内周面における所定個所は、図２に示すように、位置規制凹部２５が設けられている。この位置規制凹部２５は、中間部材８の上面側に配置されるフィルム基板２２の一端部側を位置決めするためのものであり、そのフィルム基板２２の一端部側における両側にそれぞれ側方に突出して設けられた突起部２７が挿入することにより、フィルム基板２２の一端部側を位置決めするように構成されている。
【００２０】
このような電子腕時計では、腕時計ケース１内に収納された液晶表示パネル７と、この液晶表示パネル７の下側に配置された回路基板１７との間に、中間部材８が配置され、この中間部材８の上面側からフィルム基板２２をスリット状の貫通孔２３に挿入させ、このフィルム基板２２を中間部材８の下面側に折り返し、この状態で中間部材８の上面側に位置するフィルム基板２２の一端部を液晶表示パネル７のパネル側接続端子部１５に中間部材８の第１弾性部材２０によって弾圧し、中間部材８のした面側に位置するフィルム基板２２の他端部を回路基板１７の基板側接続端子部１９に中間部材８の第２弾性部材２１によって弾圧することにより、フィルム基板２２によって液晶表示パネル７と回路基板１７とを電気的に接続している。
【００２１】
このように、この電子腕時計によれば、液晶表示パネル７のパネル側接続端子部１５と回路基板１７の基板側接続端子部１９とを上下に対向させる必要がなく、しかも液晶表示パネル７のパネル側接続端子部１５よりも回路基板１７の基板側接続端子部１９が液晶表示パネル７の中心寄りに設けられていても、フィルム基板２２によって液晶表示パネル７と回路基板１７とを確実に電気的に接続することができる。このため、回路基板１７の基板側接続端子部１９を回路基板１７の中心部から外側に設ける必要がなく、しかも回路基板１７を大きくしなくても、液晶表示パネル７と回路基板１７とを電気的に接続することができるので、回路基板１７の大きさによって液晶表示パネル７の大きさが制約を受けることがなく、回路基板１７を大きく形成しなくても液晶表示パネル７を大きくすることができる。
【００２２】
また、この電子腕時計では、中間部材８が腕時計ケース１に一体に形成されていることにより、部品点数を削減することができると共に、機器全体の低コスト化をも図ることができるほか、特に腕時計ケース１の部品収納部１ａ内の所定位置に液晶表示パネル７と回路基板１７とを位置規制して載置することができ、これにより腕時計ケース１内に液晶表示パネル７と回路基板１７とを精度良く組み込むことができる。
【００２３】
また、この電子腕時計では、中間部材８にフィルム基板２２の基板側の端部を位置決めする位置規制突起２４を設け、腕時計ケース１の内周面にフィルム基板２２のパネル側の端部を位置決めする位置規制凹部２５を設けたので、フィルム基板２２を中間部材８の上面側からスリット状の貫通孔２３を通して下面側に折り返すときに、フィルム基板２２の切欠き部２６に位置規制突起２４を挿入させることにより、回路基板１７側に位置するフィルム基板２２の端部を所定位置に位置決めすることができると共に、フィルム基板２２の突起部２７を位置規制凹部２５に挿入させることにより、液晶表示パネル７側に位置するフィルム基板２２の端部を位置決めすることができる。
【００２４】
これにより、フィルム基板２２の一端部を中間部材８の位置規制突起２４で液晶表示パネル７のパネル側接続端子部１５に正確に対応させることができると共に、フィルム基板２２の他端部を腕時計ケース１の位置規制凹部２５で回路基板１７の基板側接続端子部１９に正確に対応させることができるので、液晶表示パネル７と回路基板１７とを確実に且つ精度良く接続することができると共に、その接続作業および組み立て作業が簡単で、その作業性の向上を図ることができる。
【００２５】
（実施形態２）
次に、図３を参照して、この発明を電子腕時計に適用した実施形態２について説明する。なお、図１および図２に示された実施形態１と同一部分には同一符号を付して説明する。
この電子腕時計は、腕時計ケース１の上部に時計ガラス２を傾けて取り付け、この時計ガラス２の傾きに合わさせて液晶表示パネル７を傾けて配置するために、中間部材８の上面に傾斜面３０を形成した構造で、これ以外は実施形態１とほぼ同じ構造になっている。
【００２６】
すなわち、時計ガラス２は、図３に示すように、右下がりに傾斜した状態で腕時計ケース１の上部に取り付けられている。中間部材８は、その上面が時計ガラス２と平行に傾いた傾斜面３０、つまり右下がりに傾斜した傾斜面３０に形成され、この傾斜面３０によって液晶表示パネル７を時計ガラス２に対し平行に傾けた状態で配置するように構成されている。この場合、中間部材８の上面には、第１弾性部材２０がその傾斜面３０に対し直交して配置されることにより、第１弾性部材２０が中間部材８の下面に対して傾いた状態で設けられている。また、中間部材８の下面は、実施形態１と同様、ほぼ水平に形成され、これにより回路基板１７に対し平行になるように形成されている。
【００２７】
このような電子腕時計においても、実施形態１と同様の作用効果があるほか、特に時計ガラス２が腕時計ケース１の上部に傾斜して取り付けられていても、中間部材８の上面に時計ガラス２と同じ傾きで傾斜面３０が形成されていることにより、この傾斜面３０上に液晶表示パネル７を傾斜させて配置することができる。このため、液晶表示パネル７を時計ガラス２に対し平行に配置することができると共に、液晶表示パネル７を回路基板１７に対し所定角度に傾けて配置することができる。この場合には、中間部材８の上面に第１弾性部材２０がその上面と直交するように傾いた状態で設けられていることにより、液晶表示パネル７を回路基板１７に対し傾けても、第１弾性部材２０がフィルム基板２２の一端部を液晶表示パネル７のパネル側接続端子部１５に良好に且つ確実に弾圧するので、フィルム基板２２によって液晶表示パネル７と回路基板１７とを確実に接続することができる。
【００２８】
なお、上記実施形態１および２では、中間部材８を腕時計ケース１に一体に形成した場合について述べたが、これに限らず、例えば腕時計ケース１とは別に中間部材を形成して液晶表示パネル７と回路基板１７との間に配置した構造でも良い。この場合には、フィルム基板２２を中間部材の上面から下面に折り返して配置し、この状態で中間部材を液晶表示パネル７と回路基板１７との間に配置して腕時計ケース１内に組み込めば良い。
【００２９】
また、上記実施形態１および２では、腕時計ケース１の内周面にフィルム基板２２を位置決めする位置規制凹部２５を設けたが、これに限らず、中間部材８に位置規制凹部を設けた構造でも良い。この場合には、フィルム基板の両側辺部に対応する中間部材８の両側に立上り部を設け、この立上り部に位置規制凹部を設ければ良い。
【００３０】
さらに、上記実施形態１および２では、表示パネルとして、液晶表示パネルを用いた場合について述べたが、これに限らず、例えばＥＬ（エレクトロルミネッセンス）表示パネルなどの平面型の表示パネルを用いた構造でも良い。
【００３１】
なおまた、上記実施形態１および２では、電子機器として、電子腕時計に適用した場合について述べたが、これに限らず、例えば電卓などの小型電子式計算機、電子辞書、携帯電話機、ＤＰＡ（デジタル・パーソナル・アシスタント）などの携帯端末機にも適用することができる。
【図面の簡単な説明】
【００３２】
【図１】この発明を適用した電子腕時計の要部を示した拡大断面図である。（実施形態１）
【図２】図１のＡ−Ａ矢視における要部を示した平面図である。
【図３】電子腕時計の他の実施形態を示した要部の拡大断面図である（実施形態２）
【符号の説明】
【００３３】
１  腕時計ケース
１ａ  部品収納部
２  時計ガラス
４  時計モジュール
７  液晶表示パネル
８  中間部材
９  ハウジング
１５  パネル側接続端子部
１７  回路基板
１９  基板側接続端子部
２０  第１弾性部材
２１  第２弾性部材
２２  フィルム基板
２４  位置規制突起
２５  位置規制凹部
３０  傾斜面
【図１】
2005091192.tif 000003
【図２】
2005091192.tif 000004
【図３】
2005091192.tif 000005